(57)【特許請求の範囲】
【請求項１】
電子ロッカーのキー送信と開錠方法であって、
物置ネットサービスの利用者及び受取者を定義し、前記物置ネットサービスはワイヤレス装置のアプリケーションを提供し、前記利用者及び前記受取者がそれぞれ身分識別コード（ＩＤ）を有し、電子ロッカーは少なくともＱＲコード（登録商標）を含むコード画像を有し、前記コード画像は前記ワイヤレス装置によってスキャンされることで前記電子ロッカーが前記アプリケーションを執行するワイヤレス装置との接続を確立し、前記利用者が物品を前記電子ロッカーに入れる、電子ロッカー物入ステップと、
前記利用者のワイヤレス装置が前記アプリケーションを執行して前記電子ロッカーと接続して、前記電子ロッカーから前記電子ロッカーを開錠するための電子キーを獲得した後、前記電子ロッカーを施錠し、前記アプリケーションは前記電子キー、前記利用者の身分識別コード及び前記利用者が選択する前記受取者の身分識別コードをキーファイルとして符号化する電子キー獲得ステップと、
前記受取者のワイヤレス装置が、前記利用者のワイヤレス装置が送信した前記キーファイルを受信し、前記受取者のワイヤレス装置が前記アプリケーションを執行することで前記キーファイルを復号化して、自身の身分識別コードが前記キーファイルにおける前記受取者の身分識別コードと一致するかどうかを比較し、それが一致した場合、前記受取者のワイヤレス装置が前記アプリケーションを執行して前記電子ロッカーと接続する時に、前記受取者のワイヤレス装置による前記電子キーを使って前記電子ロッカーの開錠が許可される電子ロッカー開錠ステップと、
を含むことを特徴とする、電子ロッカーのキー送信と開錠方法。
【請求項２】
前記受取者の前記身分識別コードは、前記受取者の携帯番号、ＭＡＣアドレス、シリアル番号または識別可能な画像であることを特徴とする、請求項１に記載の電子ロッカーのキー送信と開錠方法。
【請求項３】
前記電子ロッカー物入ステップにおいて、前記電子ロッカーは、近距離無線通信、ブルートゥース（登録商標）、ワイヤレス通信または画像スキャンの手段によって前記アプリケーションを執行するワイヤレス装置との接続を確立することを特徴とする請求項２に記載の電子ロッカーのキー送信と開錠方法。
【請求項４】
前記受取者と前記利用者が同一人であることを特徴とする請求項１に記載の電子ロッカーのキー送信と開錠方法。
【請求項５】
前記電子ロッカー開錠ステップにおいては、前記アプリケーションにより前記キーファイルをインターネットの接続に介して前記受取者のワイヤレス装置に伝送し、前記受取者のワイヤレス装置で前記アプリケーションを執行することを特徴とする、請求項３に記載の電子ロッカーのキー送信と開錠方法。
【請求項６】
前記電子キー獲得ステップにおいて、前記利用者のワイヤレス装置が前記アプリケーションを執行して前記電子キーを獲得した後、前記利用者のワイヤレス装置が前記アプリケーションを執行して前記物置ネットサービスにフィードバックすることで、前記物置ネットサービスは計時を開始し、且つ前記受取者のワイヤレス装置が前記電子キーで前記電子ロッカーを開錠して前記物置ネットサービスにフィードバックすることで計時を停止すると共に、前記物置ネットサービスは計時の時間によって前記利用者または前記受取者の一方に利用料金を請求することを特徴とする、請求項１ないし４のいずれかに記載の電子ロッカーのキー送信と開錠方法。
【発明の詳細な説明】
【技術分野】
【０００１】
本発明は一種の電子ロッカーの開錠方法に係り、特に、一種の電子ロッカーのキー送信と開錠方法に関するものである。
【背景技術】
【０００２】
旅客の便宜のために、荷物または物品を一時的に安全な場所に預けて、後に取り出すように鉄道駅またはＭＲＴ駅などの交通結節点には、電子ロッカーまたは一般の機械式ロッカーが設置され、利用者が物品をロッカーに入れた後、暗証番号の設定または実体の鍵、電子キーの形式で、その後必要の時にまた前記ロッカーを開けて、前記ロッカー内に預けた物品を取り出すことができる。
【０００３】
上記のロッカーまたは電子ロッカーは、旅客の荷物を預ける用途の他、他人にものを渡すためにその物品をロッカー内に入れた後、その相手が前記ロッカーまたは電子ロッカーの処にロッカー内の物品を取り出せるように、実体の鍵をその相手に送るような使い方も存在するが、実体の鍵を渡すという手間がかかる。また、ロッカー自体は正確な鍵さえあれば誰でも開けられるので、自分または予定の相手にも関わらず、鍵を失いまたは暗証番号を漏れたことがあれば、預けたものが盗まれるリスクが存在するので、使用上の安全性を改善するように、さらなる改良が求められている。
【発明の概要】
【発明が解決しようとする課題】
【０００４】
従来のロッカーでは、開錠者の身分を識別できないため、安全上の懸念がある以外、他人にものを渡す場合は実体の鍵を送る必要があるので、余計に手間がかかる。そのため、本発明はワイヤレス装置にインストールされたアプリケーションのユーザーが互いに電子キーを送信する形式で、ロッカーに物品を預けるや取り出すの安全性と利便性を改善する。
【課題を解決するための手段】
【０００５】
上記の目的により、本発明は一種の電子ロッカーのキー送信と開錠方法を提供し、その方法のステップは：
【０００６】
物置ネットサービスの利用者及び受取者を定義し、前記物置ネットサービスはワイヤレス装置のアプリケーションを提供し、前記利用者及び前記受取者がそれぞれ身分識別コード（ＩＤ）を有し、電子ロッカーは少なくともＱＲコード（登録商標）を含むコード画像を有し、前記コード画像は前記ワイヤレス装置によってスキャンされることで前記電子ロッカーが前記アプリケーションを執行するワイヤレス装置との接続を確立し、前記利用者が物品を前記電子ロッカーに入れる電子ロッカー物入ステップと、
【０００７】
前記利用者のワイヤレス装置が前記アプリケーションを執行して前記電子ロッカーと接続して、前記電子ロッカーから前記電子ロッカーを開錠するための電子キーを獲得した後、前記電子ロッカーを施錠し、前記アプリケーションは前記電子キー、前記利用者の身分識別コード及び前記利用者が選択する前記受取者の身分識別コードをキーファイルとして符号化する電子キー獲得ステップと、
【０００８】
前記受取者のワイヤレス装置が、前記利用者のワイヤレス装置が送信した前記キーファイルを受信し、前記受取者のワイヤレス装置が前記アプリケーションを執行することで前記キーファイルを復号化して、自身の身分識別コードが前記キーファイルにおける前記受取者の身分識別コードと一致するかどうかを比較し、それが一致した場合、前記受取者のワイヤレス装置が前記アプリケーションを執行して前記電子ロッカーと接続する時に、前記受取者のワイヤレス装置による前記電子キーを使って前記電子ロッカーの開錠が許可される電子ロッカー開錠ステップとを含む。
【０００９】
好ましくは、本発明の前記受取者の前記身分識別コードは、前記受取者の携帯番号、ＭＡＣアドレス、シリアル番号または識別可能な画像である。
【００１０】
さらに、本発明の前記電子ロッカー物入ステップにおいて、前記電子ロッカーは、近距離無線通信、ブルートゥース（登録商標）、ワイヤレス通信または画像スキャンの手段によって前記アプリケーションを執行するワイヤレス装置との接続を確立する。
【００１１】
さらに、本発明の前記受取者と前記利用者が同一人である。
【００１２】
さらに、本発明の電子ロッカー開錠ステップにおいては、前記利用者が持つワイヤレス装置に執行する前記アプリケーションにおいて前記受取者を選択し、且つ前記電子キーを送信して電子ロッカーを開錠するステップにおいて前記アプリケーションにより前記キーファイルをインターネットの接続に介して前記受取者のワイヤレス装置に伝送し、前記受取者のワイヤレス装置で前記アプリケーションを執行する。
【００１３】
好ましくは、本発明の前記電子キー獲得ステップにおいて、前記利用者のワイヤレス装置が前記アプリケーションを執行して前記電子キーを獲得した後、前記利用者のワイヤレス装置が前記アプリケーションを執行して前記物置ネットサービスにフィードバックすることで、前記物置ネットサービスは計時を開始し、且つ前記電子ロッカー開錠ステップにおいて、前記受取者のワイヤレス装置が前記電子キーを使って前記電子ロッカーを開錠すると同時に前記物置ネットサービスにフィードバックすることで計時を停止し、前記物置ネットサービスは計時の時間によって前記利用者または前記受取者の一方に利用料金を請求する。
【００１４】
本発明の方法によって、利用者が物品を前記電子ロッカーに預けた後は、正当の受取者が前記キーファイルを獲得する場合のみ、前記電子ロッカーを後に電子キーを使って開錠して前記物品を取り出すことが許される。
【発明の効果】
【００１５】
本発明の効果としては、電子ロッカーを開錠する電子キーが、インターネットまたは他のワイヤレス伝送方式で遠距離にいる受取者が使えるように送信できるので、前記電子ロッカー内に物品を預けてから選択された受取者によって取り出すという操作が便利に行えることになる。さらに、利用者が獲得した電子キーをキーファイルとして符号化してから伝送された後、キーファイルを受信した人のワイヤレス装置は前記アプリケーションを執行可能である必要があると共に、正当の受取者であることの身分確認が通れた場合のみ、アプリケーションに承認されて前記電子キーを使う資格があると確認され、電子ロッカーを開錠できて物品を取り出すことができるので、電子キーの送信と使用上の安全性を改善できる。
【図面の簡単な説明】
【００１６】
【図１】本発明の好適な一実施例による方法を示すフローチャートである。
【図２】本発明の好適な一実施例による物品を預ける場合を示す概略図である。
【図３】本発明の好適な一実施例による物品を取り出す場合を示す概略図である。
【発明を実施するための形態】
【００１７】
本発明の技術特徴及び実用効果を理解し易く、且つ明細書の内容に基づいて実施できるように、図示された好適的な実施例を、以下のように詳しく説明する。
【００１８】
図１ないし図３に示す本発明の好適的な実施例は、一種の電子ロッカーのキー送信と開錠方法を提供し、その方法のステップは：
【００１９】
電子ロッカーに物を入れるステップ：物置ネットサービスＡが、前記物置ネットサービスＡに使用するアプリケーションＢを提供し、且つコンビニ店内、または鉄道駅、ＭＲＴ駅等の公共交通駅内に実体の電子ロッカーＣを設置し、前記電子ロッカーＣは、近距離無線通信、ブルートゥース（登録商標）、ワイヤレス通信または画像スキャンの手段によって前記アプリケーションＢを執行するワイヤレス装置との接続を確立する機能を有する。本実施例による電子ロッカーＣは、少なくともＱＲコード（登録商標）を含むコード画像を有し、前記コード画像は前記ワイヤレス装置によってスキャンされることで前記電子ロッカーＣとの接続を確立する。以下の実施例によるワイヤレス装置（インターネット対応のいかなるモバイル装置またはウェアラブル装置であればいい）としては、携帯電話を例として説明する。
【００２０】
前記物置ネットサービスＡのユーザー数は複数であり、最大人数は数十万ないし数千万を対応可能である。これらのユーザーには、少なくとも利用者１０及び受取者２０を含み、各ユーザーは身分識別コードＡ１を有し、各身分識別コードＡ１としては、前記物置ネットサービスＡから与えられたユーザー番号や、各ユーザー自身の携帯番号、ＭＡＣアドレス、シリアル番号または識別可能な画像であってもいい。前記利用者１０が前記物置ネットサービスＡの前記電子ロッカーＣを利用する時は、物品３０を前記電子ロッカーＣに入れる時である。
【００２１】
電子キーを獲得するステップ：前記利用者１０が前記物品３０を前記電子ロッカーＣに入れた後、前記利用者１０の携帯が前記アプリケーションＢを執行して前記電子ロッカーＣと接続すると共に、ユーザーの一つを前記物品３０の受取者２０として選択する。この時、前記電子ロッカーＣが、前記電子ロッカーＣの開錠に使える電子キーＣ１を前記利用者１０の携帯が執行する前記アプリケーションＢに伝送した後、前記電子ロッカーＣに施錠する。前記利用者の１０の携帯の前記アプリケーションＢが前記電子ロッカーＣから前記電子キーＣ１を獲得した後、今回前記電子ロッカーＣを利用するユーザーが前記利用者１０であることをインターネットに介して前記物置ネットサービスＡにフィードバックすると共に、計時を開始する。そして、前記利用者１０の携帯が前記アプリケーションＢを執行して前記電子キーＣ１、前記利用者１０の身分識別コードＡ１、及び前記利用者１０が選択した前記受取者２０の身分識別コードＡ１をキーファイルＢ１として符号化する。そのうち、前記受取者２０の身分識別コードＡ１は、前記受取者２０のユーザー番号または前記受取者２０の携帯番号であり、本実施例による前記受取者２０の身分識別コードＡ１としては、携帯番号を例として説明する。
【００２２】
電子キーを送信して電子ロッカーを開錠するステップ：前記利用者１０の携帯の前記アプリケーションＢはインターネット、近距離無線通信、ブルートゥース（登録商標）等の通信手段で前記キーファイルＢ１を前記受取者２０の携帯に伝送できる。そして前記受取者２０の携帯が前記アプリケーションＢを執行して前記キーファイルＢ１を受信すると共に、前記キーファイルＢ１を復号化して前記電子キーＣ１、前記利用者１０の身分識別コードＡ１と前記受取者２０の身分識別コードＡ１の情報を得ると同時に、前記受取者２０の携帯の身分識別コードＡ１が前記キーファイルＢ１における前記受取者２０の身分識別コードＡ１と一致するかどうかを比較し、つまり両者の携帯番号が一致するかどうかである。それが一致した場合、前記受取者２０の携帯が前記アプリケーションＢを執行して前記電子ロッカーＣと接続する時に、前記受取者２０の携帯による前記電子キーＣ１を使って前記電子ロッカーＣの開錠が許可される。
【００２３】
最後に、前記受取者２０がその携帯より前記アプリケーションＢを執行して前記電子ロッカーＣと接続し、前記電子キーＣ１を使って前記電子ロッカーＣを開錠して前記物品３０を取り出すと同時に、前記受取者２０の携帯の前記アプリケーションＢが前記物置ネットサービスＡにフィードバックして計時を停止する。前記物置ネットサービスＡは計時の時間、つまり前記利用者１０が物品を預けるから前記受取者２０が物品を取り出すまでの時間に基づいて、前記利用者が物品を預ける時の設定によって前記利用者１０または前記受取者２０の一方に利用料金を請求する。利用料金の請求は前記利用者１０または前記受取者２０が前記物置ネットサービスＡに登録したクレジットカードから引き落とし、或いは前記利用者１０または前記受取者２０が前記物置ネットサービスＡにチャージした金額で支払うことができる。
【００２４】
本発明は上記の実施例の他に、前記電子キーを送信して電子ロッカーを開錠するステップにおいて、前記利用者１０の携帯の前記アプリケーションＢがインターネット接続に介して前記電子キーＣ１を直接前記受取者２０の携帯の前記アプリケーションＢに伝送する方法の代わりに、メールやメッセージでインターネットまたはブルートゥース（登録商標）経由の方法で前記電子キーＣ１を前記受取者２０の携帯の前記アプリケーションＢに伝送することも可能であり、さらに前記利用者１０が前記電子キーＣ１をフラッシュドライブまたはポータブルＨＤＤに記録して、直接その電子キーＣ１を記録したフラッシュドライブまたはポータブルＨＤＤを前記受取者２０に渡して前記受取者２０の携帯に読み込むこともできる。また、上記の好適的な実施例において、前記アプリケーションＢを執行するワイヤレス装置は携帯の代わりにタブレット、スマートウォッチなどもできるし、実施上、前記利用者１０と前記受取者２０が同一人であってもいい。
【００２５】
以上に、本発明の好適的な実施例を開示したが、本発明が主張する範囲を限定するものではなく、本発明の趣旨及び範囲から逸脱することのない種々の修正及び変更は、本発明の範疇に属するものであることは、言うまでもないところである。
【符号の説明】
【００２６】
１０  利用者
２０  受取者
３０  物品
Ａ    物置ネットサービス
Ａ１  身分識別コード（ＩＤ）
Ｂ    アプリケーション
Ｂ１  キーファイル
Ｃ    電子ロッカー
Ｃ１  電子キー
【図１】
0006904605.tif 000002
【図２】
0006904605.tif 000003
【図３】
0006904605.tif 000004